(57)【特許請求の範囲】
【請求項１】
少なくとも二つの開口が形成された前面部およびこの前面部が着脱可能な固定枠よりなるハウジングと、このハウジング内に設けられ、流入口、流出口および弁体を有する水栓本体と、前記ハウジングの一方の開口に配置され、前記水栓本体の流出口から流出可能な水の流量を調整するための流量調整ハンドルと、この流量調整ハンドルの回動操作を前記弁体に伝達するための伝達機構と、前記水栓本体の流出口に固定されるとともに前記ハウジングの他方の開口に配置され、給水ホースの上流端に設けられた継手部材が着脱自在である継手部とを備え、壁または水栓筐体に形成した取付け開口を介して前記壁または水栓筐体に固定設置される水道用コンセントであって、前記前面部の裏面側を前記壁または水栓筐体の一方面に押圧させるとともに、前記壁または水栓筐体の他方面に前記固定枠の左右に設けた一対の挟みプレートを押圧させた状態で前記前面部と一対の挟みプレートとで前記壁または水栓筐体を挟み込むよう構成され、前記壁または水栓筐体の前記一方面および前面部間に前記前面部の裏面側に着脱可能に密着できる大きさのスペーサを設けてあることを特徴とする水道用コンセント。
【請求項２】
前記前面部は、前記壁または水栓筐体の前側から前記取付け開口に挿通されて前記固定枠に嵌め込み可能な後部および前記一対の挟みプレートとで前記壁または水栓筐体を挟むことが可能な前部よりなる枠体と、この枠体に着脱可能に保持される化粧プレートとしての中央部とで構成されている請求項１に記載の水道用コンセント。
【請求項３】
前記前面部の裏面側が、前記枠体の前記前部の裏面側であって、この裏面側の外周端部において前記前部は全周にわたり内向き段差を有する一方、前記スペーサは一方面に前記内向き段差に係合する形状の外向き段差を全周にわたり有するとともに、前記スペーサは他方面に前記外向き段差に係合する形状で前記前部の前記内向き段差と同一形状の内向き段差を全周にわたり有し、前記スペーサ同士を前記壁または水栓筐体の薄さに応じて重ね合わせ可能なように構成してある請求項２に記載の水道用コンセント。
【発明の詳細な説明】
【０００１】
【発明の属する技術分野】
この発明は、浄水器、食器洗い機、湯沸器、洗濯機、あるいは、散水器等の機器の給水ホースへ給水できる水道用コンセントに関する。
【０００２】
【従来の技術】
本出願人は、水道用コンセントとして、図９、図１０、図１１に示すように、二つの開口１，２を有する前面部３およびこの前面部３が着脱可能な固定枠１４よりなるハウジングと、一方の開口２に配置された継手部１１と、他方の開口１に配置され、前記継手部１１から送出する水の流量を調整するためのハンドル９とを備えたものを開発中である。
【０００３】
前記前面部３は、枠体３ｂと、この枠体３ｂに着脱可能に保持される化粧プレートとしての中央部３ａとで構成されている。
【０００４】
この水道用コンセントは、間柱Ｐに対して、固定枠１４を介して直接取り付けられるとともに、前面部３が家屋等の壁Ｗの前面Ｗb とほぼ面一となるように壁Ｗに形成された取付け開口４２に配置された状態で、固定枠１４の左右に設けた一対の挟みプレート７２と前記枠体３ｂとで壁Ｗを挟み込むよう構成されている。
【０００５】
すなわち、前記一対の挟みプレート７２，７２は、固定枠１４の両側壁５６，５６を前後方向において自在に位置決め可能に移動するよう構成されている。この挟みプレート７２は、側壁５６に前後方向に形成された上下の切欠き５６ａ，５６ｂによって案内される。そして、この挟みプレート７２の前後方向の移動は、固定枠１４の後壁５７に当接するねじ５２ａによって行える。よって、これら挟みプレート７２，７２と前記枠体３ｂの前部３０１とで壁Ｗを挟むことが可能である。
【０００６】
つまり、上記のように間柱Ｐに取り付けられた固定枠１４に前面部３を取り付けるには、枠体３ｂの後部３００を壁Ｗの前側から取付け開口４２を挿通させて固定枠１４内に嵌め込み、後部３００の内側四隅Ｃ1 ，Ｃ1 ，Ｃ1 ，Ｃ1 （図１０参照）にそれぞれ設けた挿通孔５０および固定枠１４の内側四隅Ｃ2 ，Ｃ2 ，Ｃ2 ，Ｃ2 （図９、図１０参照）にそれぞれ設けたねじ孔５１を介してねじ５２止めを行うことにより枠体３ｂの前部３０１の後面側を壁Ｗの前面Ｗb に当接させた後、ねじ５２ａによって挟みプレート７２の位置を調節して挟みプレート７２と枠体３ｂの前部３０１とで壁Ｗを挟み込み、最後に前面部３の中央部３ａを枠体３ｂに取り付けるだけでよい。
【０００７】
この場合、挿通孔５０が設けられている枠体３ｂの後部３００の内側四隅Ｃ1，Ｃ1 ，Ｃ1 ，Ｃ1 と、ねじ孔５１が設けられている固定枠１４の内側四隅Ｃ2 ，Ｃ2 ，Ｃ2 ，Ｃ2 とは、壁厚Ａ（例えば、８〜１５ｍｍ）や壁Ｗの前面Ｗb および給水配管Ｖ1 間の距離Ｍに応じてそれぞれ当接した状態（四隅Ｃ1 ，Ｃ2 間の距離はゼロ）でねじ５２止めされる場合（図１２参照）とそれぞれ離間した状態でねじ５２止めされる場合がある。
【０００８】
上記の構成からなる水道用コンセントでは、図１１に示すように、例えば浄水器の給水ホースＨが前記継手部１１に接続された場合には、水道用コンセントのハンドル９を操作することによって、浄水器に送られる水の量を調整することができる。そして、例えば、台所に既設の水栓に浄水器の給水ホースＨを接続することで浄水器に給水した場合には、既設の水栓と浄水器とを同時に使用することができないという問題があったが、上記の構成からなる水道用コンセントを用いれば、このような問題を解決することが可能である。
【０００９】
【発明が解決しようとする課題】
しかし、壁設置型の水道用コンセントでは、設置にあたり以下の問題があった。
【００１０】
（１）水道用コンセントは、例えば既設の水栓（湯水混合栓など）に水または湯を供給するために設置されている給水配管または給湯配管（図示せず）から分岐された分岐給水配管（以下、単に給水配管という）Ｖ1 および壁Ｗの前面Ｗb 間の距離Ｍが所定範囲（例えば、２８〜３５ｍｍ）になるように壁Ｗの張りつけと給水配管Ｖ1 の施工が行われるのを前提とした上で、前記四隅Ｃ1 ，Ｃ2 間の距離を適宜変えても所定範囲の壁厚Ａ（例えば、８〜１５ｍｍ）を有する壁Ｗに設置できるものであるが、壁Ｗの張りつけと給水配管Ｖ1 の施工の結果、例えば、図１３に示すように、壁Ｗと給水配管Ｖ1 との距離Ｍが長すぎる場合には適用できなくなる。すなわち、壁Ｗの前面および給水配管Ｖ1 間の距離Ｍが所定範囲（例えば、２８〜３５ｍｍ）の最大長さ（＝３５ｍｍ）よりも長くなっている場合（図１３ではＭ＝５０ｍｍ）、固定枠１４と枠体３ｂが離れ過ぎ、枠体３ｂの後部３００を取付け開口４２を挿通させても後部３００を固定枠１４内に嵌め込むことができないという事態が発生する。
【００１１】
（２）逆に、壁Ｗと給水配管Ｖ1 をあまりに近づけ過ぎると、すなわち、図１４に示すように、距離Ｍが所定範囲（例えば、２８〜３５ｍｍ）の最小長さ（＝２８ｍｍ）よりも短い場合（図１４では、Ｍ＝２３ｍｍ）には、四隅Ｃ1 ，Ｃ2 同士を当接させても、枠体３ｂの前部３０１および壁Ｗの前面Ｗb 間に例えば５ｍｍ程度の幅Ｍ1 を有する隙間Ｓが発生することになる。
【００１２】
また、図１５に示すように、家屋等の建物Ｔの、例えば基礎部分の鉛直面部Ｔa に形成した開口３０３に埋め込まれたボックス本体３０４内に上記水道用コンセントと同一の水道用コンセントＤがステンレス製のブラケット３０５に設置された散水器ボックス（特願平１１−２４２２８０号の明細書、図面参照）の場合、図１６に示すように、ブラケット３０５の厚みａは、前記壁厚Ａ（例えば、８〜１５ｍｍ）よりもはるかに薄いことから、水道用コンセントＤの前記四隅Ｃ1，Ｃ2 を当接させた状態（図１１参照）で、かつ、一対の挟みプレート７２，７２を最大限前方向に移動させた状態（これとは反対に図９では挟みプレート７２が最大限後方向に移動させている）でも、挟みプレート７２と枠体３ｂの前部３０１との間に前記ブラケット３０５の厚みａよりも大きな幅ａ1 を持つ隙間ｍが発生する。これは、挟みプレート７２，２を最大限前方向に移動させると、挟みプレート７２のねじ５２ａ片Ｐ1 （図８参照）が前記四隅Ｃ1 ，Ｃ2 を当接した状態の枠体３ｂの後部３００の裏面側の外周端部３３３（図１６参照）に当たりこの外周端部３３３がストッパーとして機能して挟みプレート７２，２がこれ以上前方へ移動するのを阻止されてしまうからである。そのため、この隙間ｍを埋めるべく従来は鉄板や木材を挟んでいた。
【００１３】
更に、前記壁設置型の水道用コンセントにおいても、前記所定範囲の壁厚Ａ（例えば、８〜１５ｍｍ）よりも薄い壁Ｗを用いた場合には前記散水器ボックスと同様の問題が発生することになる。すなわち、前記前部３０１および壁Ｗの前面Ｗb 間に隙間Ｓが発生することになる。
【００１４】
この発明は上述の事柄に留意してなされたもので、その目的は、家屋等において所定範囲の厚みの壁を使用している場合に壁と給水配管を近づけ過ぎても対応できるとともに、前記壁が所定範囲の壁厚以下の薄い壁であっても、あるいは、散水器ボックスの薄いブラケットにも対応できるオールラウンドな水道用コンセントを提供することである。
【００１５】
【課題を解決するための手段】
上記目的を達成するために、この発明の水道用コンセントは、少なくとも二つの開口が形成された前面部およびこの前面部が着脱可能な固定枠よりなるハウジングと、このハウジング内に設けられ、流入口、流出口および弁体を有する水栓本体と、前記ハウジングの一方の開口に配置され、前記水栓本体の流出口から流出可能な水の流量を調整するための流量調整ハンドルと、この流量調整ハンドルの回動操作を前記弁体に伝達するための伝達機構と、前記水栓本体の流出口に固定されるとともに前記ハウジングの他方の開口に配置され、給水ホースの上流端に設けられた継手部材が着脱自在である継手部とを備え、壁または水栓筐体に形成した取付け開口を介して前記壁または水栓筐体に固定設置される水道用コンセントであって、前記前面部の裏面側を前記壁または水栓筐体の一方面に押圧させるとともに、前記壁または水栓筐体の他方面に前記固定枠の左右に設けた一対の挟みプレートを押圧させた状態で前記前面部と一対の挟みプレートとで前記壁または水栓筐体を挟み込むよう構成され、前記壁または水栓筐体の前記一方面および前面部間に前記前面部の裏面側に着脱可能に密着できる大きさのスペーサを設けてある。
【００１６】
【発明の実施の形態】
以下、この発明の一実施形態を、図１〜図６と図９および図１１をも参照しながら説明する。なお、図１〜図６において、図９〜図１４で用いた符号と同一のものは同一または相当物である。
【００１７】
図１〜図６において、水道用コンセントＤは、縦に並んだ二つの開口１，２を有する前面部３およびこの前面部３が着脱可能な固定枠１４よりなるほぼ直方体形状のハウジング４と、このハウジング４内に設けられ、水または湯の流入口５および流出口６ならびにカートリッジ式の弁体８を有する水栓本体７と、前記ハウジング４の一方の開口１に配置され、前記水栓本体７の流出口６から流出可能な水の流量を調整するための流量調整操作部材であるダイヤル型の流量調整ハンドル９と、この流量調整ハンドル９の回動操作を前記弁体８に伝達するための伝達機構１０と、前記水栓本体７の流出口６に固定されるとともに前記ハウジング４の他方の開口２に配置され、給水ホースＨの上流端に設けられた継手部材Ｈ’が着脱自在である継手部１１と、この継手部１１に対する前記継手部材Ｈ’の接続を解除するための接続解除機構１２と、家屋等の壁Ｗの前面Ｗb （一方面）および前面部３間に設けられ前面部３の裏面側（後述する、枠体３ｂの後部３００の外周端部３３３）に着脱可能に密着できる大きさのスペーサ４０とを備えている。
そして、水道用コンセントＤの固定枠１４の両側壁には、三方が切り欠かれ、かつ固定枠１４の内側に折れ曲げられ、平面視がほぼへの字形状となっている折れ曲がり部２８（図４、図９および図５参照）がそれぞれ形成されており、この折れ曲がり部２８は、ねじ２９が挿通可能な穴２８’を有している。そして、水道用コンセントＤを間柱Ｐに取り付けるには、前記折れ曲がり部２８が形成されている側壁を間柱Ｐに当接させ、穴２８’を挿通させたねじ２９で止めればよい。なお、穴２８’は、折れ曲がり部２８の前側の傾斜した面に形成されていることから、前記ねじ２９を用いた固定枠１４の取り付け作業を簡単に行うことが可能である。
【００１８】
前記開口１，２は、正面視がほぼ円形状となるように形成されている。
【００１９】
前記前面部３は、前記開口１，２が形成されている化粧プレートとしての中央部３ａと、この中央部３ａを保持するための枠体３ｂとからなる。
【００２０】
前記流入口５には、たとえば既設の水栓（湯水混合栓など）に水または湯を供給するために設置されている給水配管（図示せず）から分岐された分岐給水配管Ｖ1 が接続されている。
【００２１】
なお、前記流量調整ハンドル９は、図６、図９に示すように、ねじ７ｂを、ハンドル支持部９ｂに形成されたねじ挿通孔９ａを介して水栓本体７のねじ孔７ａに螺合することで水栓本体７に固定されている。
更に、水栓本体７は、前記ハウジング本体４の底部上に、ねじ５３により立設配置されている。そして、前記分岐給水配管Ｖ1 からの水または湯が、流入口５から内部に導入され、流出口６から下流側へ送出される構成となっている。
【００２２】
前記カートリッジ式の弁体８は、水栓本体７の内部に挿入されており、その軸心回りに回転可能な筒体１５（図３参照）を有している。そして、前記流入口５から水栓本体７内に至った水は、筒体１５の内部と、前記筒体１５の側壁に形成され、流出口６に連通する貫通孔（図示せず）とを経た後に流出口６から送出されるように構成されており、前記筒体１５の回動操作に伴って、流出口６と貫通孔との重なり部分の大きさが変化するため、水栓本体７内から流出口６に送出可能な水の流量も変化することになる。従って、筒体１５の回動操作を行うことにより、流出口６から送出される水の流量を調整することができる。
【００２３】
前記伝達機構１０は、前記流量調整ハンドル９を用いて前記筒体１５の回動操作を行うために設けられた機構であり、前記水栓本体７の上方に突出し、かつ前記筒体１５と連動するスピンドル軸１６と、前記スピンドル軸１６の外周に形成されたアウターセレーションに噛み合うインナーセレーションを有する円筒部１７およびこの円筒部１７の外周に連設されたピニオン部１８からなる回動部材１９と、前記流量調整ハンドル９の後側に連設され、前記回動部材１９のピニオン部１８に噛み合うギヤ部材２０とからなる。
【００２４】
前記継手部１１に接続される給水ホースＨの上流端に設けられた継手部材Ｈ’としては、たとえば特願平１１−０１０１９３号の明細書、図面に記載の継手部３，４などが用いられる。なお、前記給水ホースＨの下流側には、たとえば浄水器、食器洗い機、湯沸器、洗濯機、あるいは、散水器などの機器が接続される。
【００２５】
前記接続解除機構１２は、前記流量調整ハンドル９を前方に押し出すことが可能な一端部２２ａ，２２ａおよび前記継手部１１に接続される給水ホースＨの継手部材Ｈ’によって後方に押し入れることが可能な他端部２２ｂ，２２ｂを有する揺動レバー２２と、ロック解除ボタン２３およびロック手段２４からなるロック機構２５とから構成されている。
すなわち、３５は、継手部１１に外挿されて揺動レバー２２の前記他端部２２ｂ，２２ｂに当接しながら前記継手部１１上をスライド可能なスライドリング（図１１参照）である。なお、図５には、このスライドリング３５を省略している。前記スライドリング３５は、ハット状で、継手部１１を挿通させる前方開口３５ａおよび後方開口３５ｂを有し、後方開口３５ｂから前方開口３５ａに向かって順次、小径の第１段差部３７および大径の第２段差部３８を有する。このスライドリング３５は、前方開口３５ａが前記中央部３ａの前記開口２に整合する一方、後方開口３５ｂの周辺部が前記他端部２２ｂ，２２ｂに当接した状態で設置される。このスライドリング３５は、継手部材Ｈ’が継手部１１に差し込まれると、継手部材Ｈ’のリング状先端部が前記両段差部３７，３８を押圧し、その押圧力によってスライドリング３５が前記他端部２２ｂ，２２ｂに当接しながら後方にスライドし、前記他端部２２ｂ，２２ｂが後方に押されることで揺動レバー２２の一端部２２ａ，２２ａが前方に出た状態となり、流量調整ハンドル９を前方に押し出すことで流量調整ハンドル９を回動可能にする機能を有する。
【００２６】
そして、前記接続解除機構１２を用いて前記継手部１１に対する継手部材の接続を解除するには、流量調整ハンドル９を閉状態とした後、前記ロック解除ボタン２３を押し、最後に流量調整ハンドル９を後側へ押し込むだけでよい。
【００２７】
前記揺動レバー２２は、継手部１１に給水ホースの継手部材が接続されていない状態では、バネ２２ｃの付勢によって、前記一端部２２ａ，２２ａが後方に下がり、他端部２２ｂ，２２ｂが前方に出た状態（以下、初期状態という）となる。そして、揺動レバー２２がこの初期状態にあるときは、前記流量調整ハンドル９が回動不能となっており、水栓本体７の流出口６から水が送出されることがない。
【００２８】
また、前記揺動レバー２２は、継手部１１に給水ホースの継手部材Ｈ’が接続された状態では、上述したように、継手部材Ｈ’によってスライドリング３５が後方にスライドして他端部２２ｂ，２２ｂが後方に押され、これに伴って前記一端部２２ａ，２２ａが前方に出た状態（以下、接続状態という）となる。そして、揺動レバー２２がこの接続状態にあるときは、前記流量調整ハンドル９が回動可能となり、水栓本体７の流出口６から水を送出させることが可能となる。
【００２９】
前記ロック解除ボタン２３は、前記前面部３に形成されている。そして、前記ロック手段２４は、揺動レバー２２が接続状態にあるときに流量調整ハンドル９の後側に位置するアーム２４ａを有しており、このアーム２４ａは流量調整ハンドル９が後側に引っ込むことを防止することから、前記継手部材は、流量調整ハンドル９を後方へ押しても継手部１１から外れないようにロックされる。なお、前記ロック解除ボタン２３を押すことによって、流量調整ハンドル９の後側に位置していたロック手段２４のアーム２４ａが退き、ロック手段２４による継手部材のロックは解除される。
【００３０】
次に、上記の構成からなる水道用コンセントＤの動作について説明する。
継手部１１に給水ホースの継手部材が接続されていない状態では、前記揺動レバー２２は初期状態となっており、閉状態の流量調整ハンドル９を回動操作することができないようになっている。従って、操作ミスなどによって流出口６から不意に水が送出されるなどの事故が確実に防止されることとなる。
【００３１】
そして、前記継手部１１に継手部材Ｈ’を接続すると、前記揺動レバー２２は接続状態となり、流量調整ハンドル９の回動操作を行うことができるようになるため、流出口６から送出する水の流量を流量調整ハンドル９を用いて調整することが可能となる。
【００３２】
継手部１１に対する継手部材Ｈ’の接続を解除するには、まず、流量調整ハンドル９を閉状態とし、ロック解除ボタン２３を押した後、流量調整ハンドル９を後方へ押し込むだけでよい。このような構成により、前記流出口６から水が送出されているときに、継手部１１から継手部材Ｈ’が外れることがなく、水漏れ事故などを未然に防ぐことができる。
【００３３】
以下、この発明の特徴的構成である前記スペーサ４０について説明する。なお、この実施形態では、図４に示すように、枠体３ｂの後部３００の内側四隅Ｃ1 ，Ｃ1 ，Ｃ1 ，Ｃ1 と、固定枠１４の内側四隅Ｃ2 ，Ｃ2 ，Ｃ2 ，Ｃ2 とが当接した状態（四隅Ｃ1 ，Ｃ2 間の距離はゼロ）で枠体３ｂが固定枠１４に対してねじ５２止めされる場合を示している。枠体３ｂの後部３００は、正面視矩形の開口３００ａを有する。
【００３４】
枠体３ｂは、壁Ｗの前面Ｗb 側から取付け開口４２に挿通されて固定枠１４に嵌め込み可能な後部３００と、一対の挟みプレート７２，７２とで前記壁Ｗを挟むことが可能な前部３０１とよりなる。
【００３５】
そして、前記前部３０１の外周端部３３３は、全周にわたり内向き段差４２を有する一方、前記スペーサ４０は前面に前記内向き段差４２に係合する形状の外向き段差４３を全周にわたり有する。更に、前記スペーサ４０は後面に前記外向き段差４３に係合する形状で前記前部３０１の前記内向き段差４２と同一形状の内向き段差４２ａを全周にわたり有する。よって、例えば、２つのスペーサ４０，４０同士を重ね合わせできる。すなわち、第１のスペーサ４０の段差４２ａおよび第２のスペーサ４０の段差４３を介して第１のスペーサ４０の後面に第２のスペーサ４０の前面を重ね合わせできる。４６は、開口で、枠体３ｂの後部３００の開口３００ａよりも大きく、かつ相似形に形成されている。
【００３６】
前記スペーサ４０の厚みＩは例えば略５ｍｍである。したがって、図１４に示した隙間Ｓに、図３、図４に示したように、１枚のスペーサ４０を前部３０１の外周端部３３３および壁Ｗの前面Ｗb 間に介装し、ねじ５２止めすることで隙間Ｓを埋めることができる。すなわち、１枚のスペーサ４０を介して、前部３０１の外周端部３３３を壁Ｗの前面Ｗb に当接させることができ、挟みプレート７２と枠体３ｂの前部３０１とで壁Ｗを確実に挟み込むことができる。
【００３７】
また、前記所定範囲の壁厚Ａ（例えば、８〜１５ｍｍ）よりも薄い壁Ｗを用いた場合に前部３０１および壁Ｗの前面Ｗb 間に隙間Ｓが発生しても、その隙間Ｓの幅に応じて１枚のスペーサ４０あるいは複数枚のスペーサ４０を重ね合わせ、かつ、水道用コンセントＤの前記四隅Ｃ1 ，Ｃ2 を当接させた状態でねじ５２止めしたり、前記四隅Ｃ1 ，Ｃ2 をそれぞれ離間した状態でねじ５２止めできる。
【００３８】
図７、図８は、挟みプレート７２と枠体３ｂの前部３０１との間に発生した幅ａ1 を持つ隙間ｍ（図１６参照）を例えば１枚のスペーサ４０を用いて埋めるように構成したこの発明の他の実施形態を示す。なお、図７、図８において、図１〜図６、および図９〜図１６で用いた符号と同一のものは同一または相当物である。
【００３９】
この場合も、図１６に示した隙間ｍに、例えば１枚のスペーサ４０を介装し、ねじ５２止めすることで隙間ｍを埋めることができる。すなわち、１枚のスペーサ４０を介して、前部３０１の外周端部３３３をブラケット３０５の前面に当接させることができ、挟みプレート７２と枠体３ｂの前部３０１とでブラケット３０５を確実に挟み込むことができる。４９は散水ホースである。
【００４０】
なお、この実施形態では、枠体３ｂの後部３００にスペーサ４０を介装した状態で後部３００をブラケット３０５の前側からブラケット３０５に形成した取付け開口３０５ａを挿通させて固定枠１４内に嵌め込み、ねじ５２止めを行うことにより枠体３ｂの前部３０１の外周端部３３３をブラケット３０５の前面に当接させた後、ねじ５２ａによって挟みプレート７２の位置を調節して挟みプレート７２と枠体３ｂの前部３０１とでブラケット３０５を挟み込み、最後に前面部３の中央部３ａを枠体３ｂに取り付けるだけでよい。この場合、図示はしないが、枠体３ｂの後部３００の内側四隅Ｃ1 ，Ｃ1 ，Ｃ1 ，Ｃ1 と、固定枠１４の内側四隅Ｃ2 ，Ｃ2 ，Ｃ2 ，Ｃ2 とは、それぞれ離間した状態でねじ５２止めされている。
【００４１】
【発明の効果】
以上説明したようにこの発明によれば、壁または水栓筐体の一方面および前面部間に前面部の裏面側に着脱可能に密着できる大きさのスペーサを設けたので、家屋等において所定範囲の厚みの壁を使用している場合に壁と給水配管を近づけ過ぎても対応できるとともに、前記壁が所定範囲の壁厚以下の薄い壁であっても、あるいは、水栓筐体にも対応できるオールラウンドな水道用コンセントを提供できる。
【図面の簡単な説明】
【図１】  （Ａ）この発明の一実施形態におけるスペーサの背面図である。
（Ｂ）上記実施形態におけるスペーサの横断面である。
【図２】  上記実施形態における枠体とスペーサを示す分解斜視図である。
【図３】  上記実施形態における水道用コンセントの取り付け状態を示す縦断面図である。
【図４】  上記実施形態における水道用コンセントの取り付け状態を示す横断面図である。
【図５】  上記実施形態を示す全体分解斜視図である。
【図６】  上記実施形態の伝達機構を示す分解斜視図である。
【図７】  この発明の他の実施形態における水道用コンセントの取り付け状態を示す一部切欠き縦断面図である。
【図８】  上記他の実施形態における水道用コンセントの取り付け状態を示す横断面図である。
【図９】  水道用コンセントの固定枠の取り付け状態を示す正面図である。
【図１０】  水道用コンセントの取り付け機構を示す全体分解斜視図である。
【図１１】  水道用コンセントに対する給水ホースの接続動作を示す構成説明図である。
【図１２】  水道用コンセントの正常な取り付け状態を示す構成説明図である。
【図１３】  水道用コンセントの取り付け不能の状態を説明するための構成説明図である。
【図１４】  水道用コンセントの従来例の取り付け状態を示す構成説明図である。
【図１５】  水栓筐体への水道用コンセントの取り付け状態を示す一部切欠き正面図である。
【図１６】  水栓筐体への水道用コンセントの従来例の取り付け状態を示す構成説明図である。
【符号の説明】
４０…スペーサ、４３…外向き段差、４２，４２ａ…内向き段差、７２…挟みプレート、３０１…前部、３３３…外周端部、Ｗ…壁。
【図１】
0004276357.tif 000002
【図２】
0004276357.tif 000003
【図３】
0004276357.tif 000004
【図４】
0004276357.tif 000005
【図５】
0004276357.tif 000006
【図６】
0004276357.tif 000007
【図７】
0004276357.tif 000008
【図８】
0004276357.tif 000009
【図９】
0004276357.tif 000010
【図１０】
0004276357.tif 000011
【図１１】
0004276357.tif 000012
【図１２】
0004276357.tif 000013
【図１３】
0004276357.tif 000014
【図１４】
0004276357.tif 000015
【図１５】
0004276357.tif 000016
【図１６】
0004276357.tif 000017